(57)【要約】【課題】  画像ファイルに対して過去に実行した画像処理結果を簡便に適用して確認することができ、また複数の画像ファイルに対しても簡便に適用することのできる画像処理技術を提供する。【解決手段】  一覧表示エリア６に表示されたフォルダ又は画像を選択し、選択された画像又は選択されたフォルダに含まれる画像に対応して履歴表示エリア３に表示されている履歴アイコン５を選択し、選択された画像又は選択されたアイコンに含まれる画像を処理対象画像として、履歴ツリーの最初の履歴アイコンが代表する画像処理から選択した履歴アイコンが代表する画像処理までを連続して実行し、各履歴アイコンに対応する処理結果の画像のサムネイル画像を生成し、生成したサムネイル画像で各履歴アイコンを更新し、選択した履歴アイコンに対応する処理結果の画像を画像表示エリア４に表示し、選択した履歴アイコンに対応する処理結果の画像を画像メモリに記憶する画像処理方法である。【選択図】    図１５
2006350634.tif 000002
【特許請求の範囲】
【請求項１】
画像を含む画像メモリと、画像に対して複数の処理を実行する画像処理部と、画像一覧又はフォルダ一覧を表示する一覧表示エリア及び画像を表示する画像表示エリア及び画像処理を表す履歴アイコンのツリーで画像処理履歴を表示する履歴表示エリアを有するディスプレーとを備えた画像処理装置で実行する画像処理プログラムであって、
前記画像メモリに記憶された画像を選択する画像選択ステップと、
前記画像選択ステップで選択された画像に前記画像処理部で複数の画像処理を順次実行して、その各処理の処理結果画像のサムネイル画像を生成するサムネイル生成ステップと、
前記サムネイル生成ステップで生成したサムネイル画像をアイコンとして、前記画像処理の履歴を示す履歴ツリーを生成して前記履歴エリアに表示する履歴ツリー生成ステップと、
前記一覧表示エリアに表示されたフォルダ又は画像を選択する第１の選択ステップと、
前記第１の選択ステップで選択された画像又は前記選択されたフォルダに含まれる画像に対応して前記履歴表示エリアに表示されている履歴アイコンを選択する第２の選択ステップと、
前記第１の選択ステップで選択された画像又は前記選択されたアイコンに含まれる画像を処理対象画像として、前記履歴ツリーの最初の履歴アイコンが代表する画像処理から前記第２の選択ステップで選択した履歴アイコンが代表する画像処理までを連続して実行する画像処理ステップと、
前記画像処理ステップで処理した各履歴アイコンに対応する処理結果の画像のサムネイル画像を生成する第２のサムネイル生成ステップと、
前記第２のサムネイル生成ステップで生成したサムネイル画像で前記各履歴アイコンを更新する履歴アイコン更新ステップと、
前記第２の選択ステップで選択した履歴アイコンに対応する処理結果の画像を前記画像表示エリアに表示する画像表示ステップと、
前記第２の選択ステップで選択した履歴アイコンに対応する処理結果の画像を前記画像メモリに記憶する画像記憶ステップと、
を有することを特徴とする画像処理プログラム。
【請求項２】
前記第１の選択ステップで選択される画像又は前記選択されたフォルダに含まれる画像が複数である場合、
前記画像処理ステップは、それら複数のそれぞれの画像に対して前記履歴ツリーの最初の履歴アイコンが代表する画像処理から前記第２の選択ステップで選択した履歴アイコンが代表する画像処理までを連続して実行し、
前記画像表示ステップは、前記第２の選択ステップで選択された履歴アイコンに対応する前記複数の各画像の処理結果の画像を前記画像表示エリアに表示し、
前記画像記憶ステップは、前記第２の選択ステップで選択された履歴アイコンに対応する前記複数の各画像の処理結果の画像をそれぞれ前記画像メモリに記憶することを特徴とする請求項１に記載の画像処理プログラム。
【請求項３】
前記第２の選択ステップで選択される履歴アイコンが複数である場合、
前記画像表示ステップは、前記第２の選択ステップで選択された複数の履歴アイコンそれぞれに対応する処理結果の画像を前記画像表示エリアに表示し、
前記画像記憶ステップは、前記第２の選択ステップで選択された複数の履歴アイコンそれぞれに対応する処理結果の画像をそれぞれ前記画像メモリに記憶する、ことを特徴とする請求項１又は２に記載の画像処理プログラム。
【請求項４】
前記第２の選択ステップは、前記履歴ツリー上の複数の履歴アイコンを選択し、
前記画像処理ステップは、前記第１の選択ステップで選択された画像に対して、前記履歴ツリーに沿って、前記第２の選択ステップで選択された画像処理のみを順次実行することを特徴とする請求項１乃至３の内いずれか１項に記載の画像処理プログラム。
【請求項５】
前記第２の選択ステップは、前記第１の選択ステップに先立って前記履歴表示エリアに表示されている履歴アイコンを選択し、
前記第１の選択ステップは、前記第２の選択ステップで選択された前記履歴アイコンに対応して前記一覧表示エリアに表示されたフォルダ又は画像を選択することを特徴とする請求項１乃至３の内いずれか１項に記載の画像処理プログラム。
【請求項６】
画像を含む画像メモリと、画像に対して複数の処理を実行する画像処理部と、画像一覧又はフォルダ一覧を表示する一覧表示エリア及び画像を表示する画像表示エリア及び画像処理を表す履歴アイコンのツリーで画像処理履歴を表示する履歴表示エリアを有するディスプレーとを備えた画像処理装置であって、
前記画像メモリに記憶された画像を選択する画像選択部と、
前記画像選択部が選択した画像に前記画像処理部で複数の画像処理を順次実行して、その各処理の処理結果画像のサムネイル画像を生成するサムネイル生成部と、
前記サムネイル生成部が生成したサムネイル画像をアイコンとして、前記画像処理の履歴を示す履歴ツリーを生成して前記履歴エリアに表示する履歴ツリー生成部と、
前記一覧表示エリアに表示されたフォルダ又は画像を選択する第１の選択部と、
前記第１の選択部が選択した画像又は前記選択されたフォルダに含まれる画像に対応して前記履歴表示エリアに表示されている履歴アイコンを選択する第２の選択部と、
前記第１の選択部が選択した画像又は前記選択されたアイコンに含まれる画像を処理対象画像として、前記履歴ツリーの最初の履歴アイコンが代表する画像処理から前記第２の選択部が選択した履歴アイコンが代表する画像処理までを連続して実行する画像処理部と、
前記画像処理部が処理した各履歴アイコンに対応する処理結果の画像のサムネイル画像を生成する第２のサムネイル生成部と、
前記第２のサムネイル生成部が生成したサムネイル画像で前記各履歴アイコンを更新する履歴アイコン更新部と、
前記第２の選択部が選択した履歴アイコンに対応する処理結果の画像を前記画像表示エリアに表示する画像表示部と、
前記第２の選択部が選択した履歴アイコンに対応する処理結果の画像を前記画像メモリに記憶する画像記憶部と、
を有することを特徴とする画像処理装置。
【請求項７】
前記第１の選択部が選択する画像又は前記選択されたフォルダに含まれる画像が複数である場合、
前記画像処理部は、それら複数のそれぞれの画像に対して前記履歴ツリーの最初の履歴アイコンが代表する画像処理から前記第２の選択部が選択した履歴アイコンが代表する画像処理までを連続して実行し、
前記画像表示部は、前記第２の選択部が選択した履歴アイコンに対応する前記複数の各画像の処理結果の画像を前記画像表示エリアに表示し、
前記画像記憶部は、前記第２の選択部が選択した履歴アイコンに対応する前記複数の各画像の処理結果の画像をそれぞれ前記画像メモリに記憶することを特徴とする請求項６に記載の画像処理装置。
【請求項８】
前記第２の選択部が選択する履歴アイコンが複数である場合、
前記画像表示部は、前記第２の選択部が選択した複数の履歴アイコンそれぞれに対応する処理結果の画像を前記画像表示エリアに表示し、
前記画像記憶部は、前記第２の選択部が選択した複数の履歴アイコンそれぞれに対応する処理結果の画像をそれぞれ前記画像メモリに記憶する、ことを特徴とする請求項６又は７に記載の画像処理装置。
【請求項９】
前記第２の選択部は、前記履歴ツリー上の複数の履歴アイコンを選択し、
前記画像処理部は、前記第１の選択部が選択した画像に対して、前記履歴ツリーに沿って、前記第２の選択部が選択した画像処理のみを順次実行することを特徴とする請求項６乃至８の内いずれか１項に記載の画像処理装置。
【請求項１０】
前記第２の選択部は、前記第１の選択部の動作に先立って前記履歴表示エリアに表示されている履歴アイコンを選択し、
前記第１の選択部は、前記第２の選択部が選択した前記履歴アイコンに対応して前記一覧表示エリアに表示されたフォルダ又は画像を選択することを特徴とする請求項６乃至８の内いずれか１項に記載の画像処理装置。
【請求項１１】
画像を含む画像メモリと、画像に対して複数の処理を実行する画像処理部と、画像一覧又はフォルダ一覧を表示する一覧表示エリア及び画像を表示する画像表示エリア及び画像処理を表す履歴アイコンのツリーで画像処理履歴を表示する履歴表示エリアを有するディスプレーとを備えた画像処理装置の画像処理方法であって、
前記画像メモリに記憶された画像を選択する画像選択ステップと、
前記画像選択ステップで選択された画像に前記画像処理部で複数の画像処理を順次実行して、その各処理の処理結果画像のサムネイル画像を生成するサムネイル生成ステップと、
前記サムネイル生成ステップで生成したサムネイル画像をアイコンとして、前記画像処理の履歴を示す履歴ツリーを生成して前記履歴エリアに表示する履歴ツリー生成ステップと、
前記一覧表示エリアに表示されたフォルダ又は画像を選択する第１の選択ステップと、
前記第１の選択ステップで選択された画像又は前記選択されたフォルダに含まれる画像に対応して前記履歴表示エリアに表示されている履歴アイコンを選択する第２の選択ステップと、
前記第１の選択ステップで選択された画像又は前記選択されたアイコンに含まれる画像を処理対象画像として、前記履歴ツリーの最初の履歴アイコンが代表する画像処理から前記第２の選択ステップで選択した履歴アイコンが代表する画像処理までを連続して実行する画像処理ステップと、
前記画像処理ステップで処理した各履歴アイコンに対応する処理結果の画像のサムネイル画像を生成する第２のサムネイル生成ステップと、
前記第２のサムネイル生成ステップで生成したサムネイル画像で前記各履歴アイコンを更新する履歴アイコン更新ステップと、
前記第２の選択ステップで選択した履歴アイコンに対応する処理結果の画像を前記画像表示エリアに表示する画像表示ステップと、
前記第２の選択ステップで選択した履歴アイコンに対応する処理結果の画像を前記画像メモリに記憶する画像記憶ステップと、
を有することを特徴とする画像処理方法。
【請求項１２】
画像を含む画像メモリと、画像に対して複数の処理を実行する画像処理部と、画像一覧又はフォルダ一覧を表示する一覧表示エリア及び画像を表示する画像表示エリア及び画像処理を表す履歴アイコンのツリーで画像処理履歴を表示する履歴表示エリアを有するディスプレーとを備えた画像処理装置で実行する画像処理プログラムを記録した記録媒体であって、
前記画像メモリに記憶された画像を選択する画像選択ステップと、
前記画像選択ステップで選択された画像に前記画像処理部で複数の画像処理を順次実行して、その各処理の処理結果画像のサムネイル画像を生成するサムネイル生成ステップと、
前記サムネイル生成ステップで生成したサムネイル画像をアイコンとして、前記画像処理の履歴を示す履歴ツリーを生成して前記履歴エリアに表示する履歴ツリー生成ステップと、
前記一覧表示エリアに表示されたフォルダ又は画像を選択する第１の選択ステップと、
前記第１の選択ステップで選択された画像又は前記選択されたフォルダに含まれる画像に対応して前記履歴表示エリアに表示されている履歴アイコンを選択する第２の選択ステップと、
前記第１の選択ステップで選択された画像又は前記選択されたアイコンに含まれる画像を処理対象画像として、前記履歴ツリーの最初の履歴アイコンが代表する画像処理から前記第２の選択ステップで選択した履歴アイコンが代表する画像処理までを連続して実行する画像処理ステップと、
前記画像処理ステップで処理した各履歴アイコンに対応する処理結果の画像のサムネイル画像を生成する第２のサムネイル生成ステップと、
前記第２のサムネイル生成ステップで生成したサムネイル画像で前記各履歴アイコンを更新する履歴アイコン更新ステップと、
前記第２の選択ステップで選択した履歴アイコンに対応する処理結果の画像を前記画像表示エリアに表示する画像表示ステップと、
前記第２の選択ステップで選択した履歴アイコンに対応する処理結果の画像を前記画像メモリに記憶する画像記憶ステップと、
を有する画像処理プログラムを記録した記録媒体。
【発明の詳細な説明】
【技術分野】
【０００１】
本発明は、簡便に画像処理を行うための技術に関し、特に過去に実行した画像処理を簡便に適用するための技術に関する。
【背景技術】
【０００２】
連続して画像処理を実行した後で、任意の画像処理を途中からやり直して実行したい場合がある。また、過去に実行した画像処理を他の画像に適用して実行したい場合もある。このような場合にやり直しを含めて操作できれば大変便利である。
【０００３】
このニーズに応える技術として、複数の原画像情報を組合わせた画像情報の編集作業の後工程において、前工程で編集された画像情報の再編集を可能とする技術が提案されている（例えば、特許文献１参照）。
【特許文献１】特開２０００−７６４７４号公報
【発明の開示】
【発明が解決しようとする課題】
【０００４】
しかし、特許文献１に記載の技術に基づいて画像処理を実行する際には、なお解決すべき課題があった。  
過去に実行した画像処理のどの段階にまで遡って画像処理をやり直すかを決定するためには、画像処理を施した結果が視覚で確認できることは当然のこととして、そのための操作が迅速かつ簡便に実行できることが必要である。一般に画像処理では、複数の段階における画像処理結果を繰り返して比較して処理の優劣や良否を判定するからである。  
また、複数の画像ファイルに対して同一の画像処理を適用する場合もあるが、その際に個々の画像ファイル毎に同じ操作を繰り返して画像処理の優劣を比較していたのでは、取扱の簡便さに大きく欠ける。
【０００５】
本発明は、かかる事情に鑑みてなされたものであり、画像ファイルに対して過去に実行した画像処理結果を簡便に適用して確認することができ、また複数の画像ファイルに対しても簡便に適用することのできる画像処理技術を提供することを目的とする。
【課題を解決するための手段】
【０００６】
上記課題を解決するための、本発明に係る請求項１に記載の画像処理プログラムは、  画像を含む画像メモリと、画像に対して複数の処理を実行する画像処理部と、画像一覧又はフォルダ一覧を表示する一覧表示エリア及び画像を表示する画像表示エリア及び画像処理を表す履歴アイコンのツリーで画像処理履歴を表示する履歴表示エリアを有するディスプレーとを備えた画像処理装置で実行する画像処理プログラムであって、前記画像メモリに記憶された画像を選択する画像選択ステップと、前記画像選択ステップで選択された画像に前記画像処理部で複数の画像処理を順次実行して、その各処理の処理結果画像のサムネイル画像を生成するサムネイル生成ステップと、前記サムネイル生成ステップで生成したサムネイル画像をアイコンとして、前記画像処理の履歴を示す履歴ツリーを生成して前記履歴エリアに表示する履歴ツリー生成ステップと、前記一覧表示エリアに表示されたフォルダ又は画像を選択する第１の選択ステップと、前記第１の選択ステップで選択された画像又は前記選択されたフォルダに含まれる画像に対応して前記履歴表示エリアに表示されている履歴アイコンを選択する第２の選択ステップと、前記第１の選択ステップで選択された画像又は前記選択されたアイコンに含まれる画像を処理対象画像として、前記履歴ツリーの最初の履歴アイコンが代表する画像処理から前記第２の選択ステップで選択した履歴アイコンが代表する画像処理までを連続して実行する画像処理ステップと、前記画像処理ステップで処理した各履歴アイコンに対応する処理結果の画像のサムネイル画像を生成する第２のサムネイル生成ステップと、前記第２のサムネイル生成ステップで生成したサムネイル画像で前記各履歴アイコンを更新する履歴アイコン更新ステップと、前記第２の選択ステップで選択した履歴アイコンに対応する処理結果の画像を前記画像表示エリアに表示する画像表示ステップと、前記第２の選択ステップで選択した履歴アイコンに対応する処理結果の画像を前記画像メモリに記憶する画像記憶ステップとを有する。
【０００７】
また本発明に係る請求項２に記載の画像処理プログラムは、上記記載の発明である画像処理プログラムにおいて、前記第１の選択ステップで選択される画像又は前記選択されたフォルダに含まれる画像が複数である場合、前記画像処理ステップは、それら複数のそれぞれの画像に対して前記履歴ツリーの最初の履歴アイコンが代表する画像処理から前記第２の選択ステップで選択した履歴アイコンが代表する画像処理までを連続して実行し、前記画像表示ステップは、前記第２の選択ステップで選択された履歴アイコンに対応する前記複数の各画像の処理結果の画像を前記画像表示エリアに表示し、前記画像記憶ステップは、前記第２の選択ステップで選択された履歴アイコンに対応する前記複数の各画像の処理結果の画像をそれぞれ前記画像メモリに記憶する。
【０００８】
また本発明に係る請求項３に記載の画像処理プログラムは、上記記載の発明である画像処理プログラムにおいて、前記第２の選択ステップで選択される履歴アイコンが複数である場合、前記画像表示ステップは、前記第２の選択ステップで選択された複数の履歴アイコンそれぞれに対応する処理結果の画像を前記画像表示エリアに表示し、前記画像記憶ステップは、前記第２の選択ステップで選択された複数の履歴アイコンそれぞれに対応する処理結果の画像をそれぞれ前記画像メモリに記憶する。
【０００９】
また本発明に係る請求項４に記載の画像処理プログラムは、上記記載の発明である画像処理プログラムにおいて、前記第２の選択ステップは、前記履歴ツリー上の複数の履歴アイコンを選択し、前記画像処理ステップは、前記第１の選択ステップで選択された画像に対して、前記履歴ツリーに沿って、前記第２の選択ステップで選択された画像処理のみを順次実行する。
【００１０】
また本発明に係る請求項５に記載の画像処理プログラムは、上記記載の発明である画像処理プログラムにおいて、前記第２の選択ステップは、前記第１の選択ステップに先立って前記履歴表示エリアに表示されている履歴アイコンを選択し、前記第１の選択ステップは、前記第２の選択ステップで選択された前記履歴アイコンに対応して前記一覧表示エリアに表示されたフォルダ又は画像を選択する。
【００１１】
また本発明に係る請求項６に記載の画像処理装置は、画像を含む画像メモリと、画像に対して複数の処理を実行する画像処理部と、画像一覧又はフォルダ一覧を表示する一覧表示エリア及び画像を表示する画像表示エリア及び画像処理を表す履歴アイコンのツリーで画像処理履歴を表示する履歴表示エリアを有するディスプレーとを備えた画像処理装置であって、前記画像メモリに記憶された画像を選択する画像選択部と、前記画像選択部が選択した画像に前記画像処理部で複数の画像処理を順次実行して、その各処理の処理結果画像のサムネイル画像を生成するサムネイル生成部と、前記サムネイル生成部が生成したサムネイル画像をアイコンとして、前記画像処理の履歴を示す履歴ツリーを生成して前記履歴エリアに表示する履歴ツリー生成部と、前記一覧表示エリアに表示されたフォルダ又は画像を選択する第１の選択部と、前記第１の選択部が選択した画像又は前記選択されたフォルダに含まれる画像に対応して前記履歴表示エリアに表示されている履歴アイコンを選択する第２の選択部と、前記第１の選択部が選択した画像又は前記選択されたアイコンに含まれる画像を処理対象画像として、前記履歴ツリーの最初の履歴アイコンが代表する画像処理から前記第２の選択部が選択した履歴アイコンが代表する画像処理までを連続して実行する画像処理部と、前記画像処理部が処理した各履歴アイコンに対応する処理結果の画像のサムネイル画像を生成する第２のサムネイル生成部と、前記第２のサムネイル生成部が生成したサムネイル画像で前記各履歴アイコンを更新する履歴アイコン更新部と、前記第２の選択部が選択した履歴アイコンに対応する処理結果の画像を前記画像表示エリアに表示する画像表示部と、前記第２の選択部が選択した履歴アイコンに対応する処理結果の画像を前記画像メモリに記憶する画像記憶部とを有する。
【００１２】
また本発明に係る請求項７に記載の画像処理装置は、上記記載の発明である画像処理装置において、前記第１の選択部が選択する画像又は前記選択されたフォルダに含まれる画像が複数である場合、前記画像処理部は、それら複数のそれぞれの画像に対して前記履歴ツリーの最初の履歴アイコンが代表する画像処理から前記第２の選択部が選択した履歴アイコンが代表する画像処理までを連続して実行し、前記画像表示部は、前記第２の選択部が選択した履歴アイコンに対応する前記複数の各画像の処理結果の画像を前記画像表示エリアに表示し、前記画像記憶部は、前記第２の選択部が選択した履歴アイコンに対応する前記複数の各画像の処理結果の画像をそれぞれ前記画像メモリに記憶する。
【００１３】
また本発明に係る請求項８に記載の画像処理装置は、上記記載の発明である画像処理装置において、前記第２の選択部が選択する履歴アイコンが複数である場合、前記画像表示部は、前記第２の選択部が選択した複数の履歴アイコンそれぞれに対応する処理結果の画像を前記画像表示エリアに表示し、前記画像記憶部は、前記第２の選択部が選択した複数の履歴アイコンそれぞれに対応する処理結果の画像をそれぞれ前記画像メモリに記憶する。
【００１４】
また本発明に係る請求項９に記載の画像処理装置は、上記記載の発明である画像処理装置において、前記第２の選択部は、前記履歴ツリー上の複数の履歴アイコンを選択し、前記画像処理部は、前記第１の選択部が選択した画像に対して、前記履歴ツリーに沿って、前記第２の選択部が選択した画像処理のみを順次実行する。
【００１５】
また本発明に係る請求項１０に記載の画像処理装置は、上記記載の発明である画像処理装置において、前記第２の選択部は、前記第１の選択部の動作に先立って前記履歴表示エリアに表示されている履歴アイコンを選択し、前記第１の選択部は、前記第２の選択部が選択した前記履歴アイコンに対応して前記一覧表示エリアに表示されたフォルダ又は画像を選択する。
【００１６】
また本発明に係る請求項１１に記載の画像処理方法は、画像を含む画像メモリと、画像に対して複数の処理を実行する画像処理部と、画像一覧又はフォルダ一覧を表示する一覧表示エリア及び画像を表示する画像表示エリア及び画像処理を表す履歴アイコンのツリーで画像処理履歴を表示する履歴表示エリアを有するディスプレーとを備えた画像処理装置の画像処理方法であって、前記画像メモリに記憶された画像を選択する画像選択ステップと、前記画像選択ステップで選択された画像に前記画像処理部で複数の画像処理を順次実行して、その各処理の処理結果画像のサムネイル画像を生成するサムネイル生成ステップと、前記サムネイル生成ステップで生成したサムネイル画像をアイコンとして、前記画像処理の履歴を示す履歴ツリーを生成して前記履歴エリアに表示する履歴ツリー生成ステップと、前記一覧表示エリアに表示されたフォルダ又は画像を選択する第１の選択ステップと、前記第１の選択ステップで選択された画像又は前記選択されたフォルダに含まれる画像に対応して前記履歴表示エリアに表示されている履歴アイコンを選択する第２の選択ステップと、前記第１の選択ステップで選択された画像又は前記選択されたアイコンに含まれる画像を処理対象画像として、前記履歴ツリーの最初の履歴アイコンが代表する画像処理から前記第２の選択ステップで選択した履歴アイコンが代表する画像処理までを連続して実行する画像処理ステップと、前記画像処理ステップで処理した各履歴アイコンに対応する処理結果の画像のサムネイル画像を生成する第２のサムネイル生成ステップと、前記第２のサムネイル生成ステップで生成したサムネイル画像で前記各履歴アイコンを更新する履歴アイコン更新ステップと、前記第２の選択ステップで選択した履歴アイコンに対応する処理結果の画像を前記画像表示エリアに表示する画像表示ステップと、前記第２の選択ステップで選択した履歴アイコンに対応する処理結果の画像を前記画像メモリに記憶する画像記憶ステップとを有する。
【００１７】
また本発明に係る請求項１２に記載の記録媒体は、画像を含む画像メモリと、画像に対して複数の処理を実行する画像処理部と、画像一覧又はフォルダ一覧を表示する一覧表示エリア及び画像を表示する画像表示エリア及び画像処理を表す履歴アイコンのツリーで画像処理履歴を表示する履歴表示エリアを有するディスプレーとを備えた画像処理装置で実行する画像処理プログラムを記録した記録媒体であって、前記画像メモリに記憶された画像を選択する画像選択ステップと、前記画像選択ステップで選択された画像に前記画像処理部で複数の画像処理を順次実行して、その各処理の処理結果画像のサムネイル画像を生成するサムネイル生成ステップと、前記サムネイル生成ステップで生成したサムネイル画像をアイコンとして、前記画像処理の履歴を示す履歴ツリーを生成して前記履歴エリアに表示する履歴ツリー生成ステップと、前記一覧表示エリアに表示されたフォルダ又は画像を選択する第１の選択ステップと、前記第１の選択ステップで選択された画像又は前記選択されたフォルダに含まれる画像に対応して前記履歴表示エリアに表示されている履歴アイコンを選択する第２の選択ステップと、前記第１の選択ステップで選択された画像又は前記選択されたアイコンに含まれる画像を処理対象画像として、前記履歴ツリーの最初の履歴アイコンが代表する画像処理から前記第２の選択ステップで選択した履歴アイコンが代表する画像処理までを連続して実行する画像処理ステップと、前記画像処理ステップで処理した各履歴アイコンに対応する処理結果の画像のサムネイル画像を生成する第２のサムネイル生成ステップと、前記第２のサムネイル生成ステップで生成したサムネイル画像で前記各履歴アイコンを更新する履歴アイコン更新ステップと、前記第２の選択ステップで選択した履歴アイコンに対応する処理結果の画像を前記画像表示エリアに表示する画像表示ステップと、前記第２の選択ステップで選択した履歴アイコンに対応する処理結果の画像を前記画像メモリに記憶する画像記憶ステップとを有する画像処理プログラムを記録した。
【発明の効果】
【００１８】
本発明の画像処理技術によれば、画像ファイルに対して過去に実行した画像処理結果を簡便に適用して確認することができ、また複数の画像ファイルに対しても簡便に適用することができる。
【発明を実施するための最良の形態】
【００１９】
［第１の実施の形態］
本発明の実施の形態に係る画像処理方法は、画像処理の履歴を管理する履歴管理機能とその履歴に基づく画像処理機能との２つの機能を備えている。そして、ユーザは、情報処理装置の表示部に表示される画像処理画面に基づいて、画像処理履歴の管理及び画像処理の操作を実行する。
【００２０】
図１は、本発明の第１の実施の形態の画像処理方法による画像処理画面の構成を示す図である。
【００２１】
画像処理画面１は、ツールバーエリア２、履歴ツリー表示エリア３、編集画像表示エリア４及びツリー表示エリア６で構成されている。ツールバーエリア２には、画像履歴表示に関する操作を行うための各種ボタンが設けられている。履歴ツリー表示エリア３には、ユーザが行った画像処理操作の履歴を表す履歴サムネイル画像５を備えたツリー形式を表示する。編集画像表示エリア４には、編集処理した画像を表示する。ツリー表示エリア６には、情報処理装置内のフォルダ又は画像ファイルをツリー形式で表示する。
【００２２】
ツールバーエリア２には、画像処理履歴の管理を行うための種々のボタンが設けられている。ツールバーエリア２には、画像編集リストボタン１１、編集画像に適用ボタン１２、履歴画像比較ボタン１３、履歴削除ボタン１４、履歴画像保存ボタン１５、履歴プロセス保存ボタン１６、履歴プロセス読込ボタン１７、履歴プロセス結合ボタン１８及び編集終了ボタン１９が設けられている。
【００２３】
画像編集リストボタン１１を操作すると、画像の処理メニューが提示される。編集画像に適用ボタン１２を操作すると、ユーザが選択した処理内容が画像に適用される。履歴画像比較ボタン１３を操作すると、比較する複数の画像が編集画像表示エリア４に表示される。履歴削除ボタン１４を操作すると、選択された履歴サムネイル画像５が履歴ツリー表示エリア３から削除される。
【００２４】
履歴画像保存ボタン１５を操作すると、選択された履歴サムネイル画像５に対応する実画像が保存される。履歴プロセス保存ボタン１６を操作すると、原画像を処理したプロセスの履歴が保存される。履歴プロセス読込ボタン１７を操作すると、保存されていた履歴プロセスが履歴ツリーに追加される。履歴プロセス結合ボタン１８を操作すると、履歴ツリー上の連続したプロセスが結合される。
【００２５】
履歴ツリー表示エリア３には、ユーザが行った画像処理操作の履歴が履歴サムネイル画像５を備えたツリー形式で表示されている。図１に示す例では、Ａを原画像として、一連の画像処理を施すことによって画像がＢ→Ｃ→Ｄと変化していく様子が履歴サムネイル画像５を見ることで示される。また、画像処理は単一の経路でなく、他の履歴プロセスのルートがあることも表示される。図１では、Ａ→Ｂ→Ｅ→Ｆと処理される履歴プロセス、Ａ→Ｂ→Ｃ→Ｇ→Ｈと処理される履歴プロセスがあることも表示されている。
【００２６】
〔履歴管理方法〕
次に、画像履歴の処理方法の概要を図１を参照しつつ説明する。  
ユーザが画像処理画面１を表示すると、ツールバーエリア２には操作ボタン１１〜１９が表示される。そこで、ユーザが、ツリー表示エリア６を操作して、情報処理装置内に記憶されている任意の画像を選択するとその画像が編集画像表示エリア４に表示され、それとともに履歴ツリー表示エリア３にその画像の履歴サムネイル画像５を備えた履歴ツリーが表示される。  
ここで、選択する画像は、外部から入力した画像であっても良く、撮像装置から入力された画像であっても良い。以上の準備の下で、画像履歴処理に関する各機能を実行することができる。なお、履歴管理処理においては、画像処理画面１の内、ツリー表示エリア６は使用しないため、以下の図では、ツリー表示エリア６を省略して説明する。
【００２７】
先ず画像編集方法について説明する。  
ユーザが、画像編集ボタン１１を操作すると、図２に示す画像編集リストがプルダウンメニューで表示される。ユーザがこの画像編集リストから所望の処理を選択すると、その処理の内容（不図示）が表示される。例えば、「明るさ」を選択すると、−１０〜＋１０までの複数の数字が表示される。そこで、ユーザが明るさとして「＋５」を選択して、編集画像に適用ボタン１２を操作すると、この選択した内容の処理が編集画像表示エリア４に表示されている画像に適用され、その結果の画像に更新される。  
そして、それとともに履歴ツリー表示部３に、この処理プロセスが履歴ツリーとして追加表示される。
【００２８】
図３は、履歴ツリーの追加表示方法を説明する図である。履歴ツリーの末端部にある画像に対して、画像編集リストで選択された画像処理が行われた場合、履歴ツリーの現在の状態（カレント）を表わすサムネイル画像の先の履歴ツリーに、処理後の新たな履歴サムネイル画像５を追加して表示する。
【００２９】
図４は、履歴ツリーの別の追加表示方法を説明する図である。履歴ツリーの中間部にある画像に対して、画像編集リストで選択された画像処理が行われた場合、編集対象の履歴サムネイル画像５の位置を分岐点として、すでにある履歴サムネイル画像５のルートとは別に新たにルートを作成し、その履歴ツリーの先に新たな履歴サムネイル画像５を追加する。
【００３０】
次に、履歴の選択処理について図５を参照して説明する。  
ユーザが履歴ツリー表示エリア３に表示された履歴サムネイル画像５をクリックすると、その履歴サムネイル画像５の表示が選択状態に変わり、編集画像表示部４に選択された履歴サムネイル画像５に対応する画像が表示される。  
また、選択された履歴サムネイル画像５がある状態で、キーボードの特定のキー（例えば、シフトキー）を押しながら別の履歴サムネイル画像５を選択すると、選択された履歴は追加されて複数の履歴が選択され、新たに選択された履歴サムネイル画像５に対応する画像が編集画像表示部４に表示される。このように、履歴サムネイル画像５を選択する毎に選択された履歴サムネイル画像５に対応する画像が編集画像表示部４に表示される。
【００３１】
次に、履歴の削除処理について図６を参照して説明する。  
ユーザが、履歴ツリーに表示された履歴サムネイル画像５の内から削除対象の履歴サムネイル画像５を１つ又は複数選択すると、上述の選択処理の要領で、履歴サムネイル画像５の表示が選択状態になり、また選択された履歴サムネイル画像５に対応する画像が編集画像表示部４に表示される。この状態でユーザが履歴削除ボタン１４を押すと「選択履歴のみ」か「選択履歴以降全て」かのモードを選択するメニュー（不図示）が表示される。ユーザがいずれかのモードを選択すると、そのモードに対応した削除処理が実行される。
【００３２】
図７は、「選択履歴のみ」モードの削除処理を説明する図である。  
図７（１）は、履歴サムネイル画像５としてＣが選択されている状態を示している。ここで、履歴削除処理が実行されると、図７（２）に示すように、履歴サムネイル画像５であるＣに関する画像データと画像処理内容が削除される。なお、図７（３）に示すように、分岐位置にある履歴サムネイル画像５であるＢが選択されている場合は、削除不可として処理は実行しない。
【００３３】
図８は、「選択履歴以降全て」モードの削除処理を説明する図である。  
図８（１）は、履歴サムネイル画像５としてＣが選択されている状態を示している。ここで、履歴削除処理が実行されると、図７（２）に示すように、履歴サムネイル画像５であるＣ及びＤに関する画像データと画像処理内容が削除される。なお、図７（３）に示すように、分岐位置にある履歴サムネイル画像５であるＢが選択されている場合は、削除不可として処理は実行しない。
【００３４】
次に、履歴画像の比較処理について図９を参照して説明する。  
ユーザは、履歴ツリーに表示された履歴サムネイル画像５の内から比較表示したい履歴サムネイル画像５を複数選択すると、上述の選択処理の要領で、履歴サムネイル画像５の表示が選択状態になり、また編集画像表示部４に選択された履歴サムネイル画像５に対応する画像が表示される。次にユーザが履歴画像比較ボタン１３を押すと、選択された複数の画像が編集画像表示エリア４に並べて表示される。
【００３５】
次に、履歴画像の保存処理について図１０を参照して説明する。  
ユーザは、履歴ツリーに表示された履歴サムネイル画像５の内から保存したい履歴サムネイル画像５を複数選択すると、上述の選択処理の要領で、履歴サムネイル画像５の表示が選択状態に変わり、また編集画像表示部４に選択された履歴サムネイル画像５に対応する画像が複数並べて表示される。このとき、画像に併せて保存対象履歴の状態も表示される。
【００３６】
次にユーザが履歴画像保存ボタン１５を押すと、保存先のフォルダ、保存ファイル名、保存する画像フォーマットなどを設定するボックス（不図示）が表示される。そこで、これらのデータを設定すると、実画像サイズで保存が行われる。この保存処理は、選択された全ての履歴サムネイル画像５に対して実行される。
【００３７】
次に、履歴画像の履歴プロセス保存処理について図１１を参照して説明する。  
ユーザが、履歴ツリーに表示された履歴サムネイル画像５の内から処理プロセスを保存したい履歴サムネイル画像５を１つ又は複数選択すると、上述の選択処理の要領で、履歴サムネイル画像５の表示が選択状態に変わり、また選択された履歴サムネイル画像５に対応する画像が編集画像表示部４に表示される。履歴サムネイル画像５が複数選択されたときは、対応する画像も並べて複数表示される。
【００３８】
次にユーザが履歴プロセス保存ボタン１６を押すと、原画像を起点として選択された履歴サムネイル画像５までのルートが表示され、併せて保存ファイル名などを設定するボックス（不図示）が表示される。そこで、これらのデータを設定すると、このルートで実行された履歴プロセスが保存される。
【００３９】
次に、履歴プロセス読込処理について図１２、図１３を参照して説明する。  
ユーザが、履歴ツリーに表示された履歴サムネイル画像５の内から履歴プロセスを読み込みたい始点となる履歴サムネイル画像５を１つ選択すると、上述の選択処理の要領で、履歴サムネイル画像５の表示が選択状態に変わり、また選択された履歴サムネイル画像５に対応する画像が編集画像表示部４に表示される。
【００４０】
次にユーザが履歴プロセス読込ボタン１７を押すと、上述の履歴プロセス保存処理で保存されている履歴プロセスを選択する画面（不図示）と、「追加モード」か「挿入モード」のいずれかを選択する画面（不図示）が表示される。そこで、これらのデータを設定すると、モードに対応した処理が実行される。
【００４１】
図１２は、追加モードでの履歴プロセス読込処理を説明する図である。選択された履歴サムネイル画像５を始点として、読み込まれた履歴プロセスが新たなツリーとして追加表示される。この結果、追加されたツリーに表示される履歴サムネイル画像５は、始点となる画像に対して読み込んだ履歴プロセスの画像処理を施した結果の画像となる。
【００４２】
図１３は、挿入モードでの履歴プロセス読込処理を説明する図である。選択された履歴サムネイル画像５を始点として、読み込まれた履歴プロセスが従来のツリー内に挿入されて表示される。この結果、挿入ツリーに表示される履歴サムネイル画像５は、始点となる画像に対して読み込んだ履歴プロセスの画像処理を施した結果の画像となる。そして、その後に続くツリーに表示される履歴サムネイル画像５は、この画像処理結果の画像を新たな対象として画像処理した結果の画像となる。
【００４３】
次に、履歴プロセス結合処理について図１４を参照して説明する。  
現在の履歴ツリーに同種の画像処理を表わす履歴サムネイル画像５が連続して存在した場合、ユーザがその連続した履歴サムネイル画像５の範囲を指定して、履歴プロセス結合１８ボタンを操作すると、連続した画像処理の処理内容が結合されて１つの画像処理になり、履歴サムネイルが１つになる。
【００４４】
図１４（１）は、履歴プロセス結合前の履歴ツリーを表わしており、履歴プロセスＣとＤが同種の画像処理であったとする。そうすると、履歴プロセス結合１８ボタンの操作後は、図１４（２）に示すように、履歴プロセスはＸとして結合される。即ち、履歴プロセスＣが明るさ＋１０、履歴プロセスＤが明るさ＋５であったときは、結合後の履歴プロセスＸは明るさ＋１５となる。また、履歴プロセスＣが右３０°回転を表わし、履歴プロセスＤが右４０°回転を表わす場合には、結合後の履歴プロセスは右７０°回転を表わしている。
【００４５】
〔画像処理方法〕
次に、上述の履歴管理処理において構築された履歴情報を用いた画像処理方法について説明する。  
図１５は、画像処理方法の基本動作を示す図である。  
ユーザが、ツリー表示エリア６内に表示されたフォルダまたは画像ファイルをマウスで指定し、履歴ツリー表示エリア３内の履歴サムネイル画像５上にドラッグすると、指定した画像に対して画像処理を行った結果が履歴サムネイル５に表示される。即ち、ドラッグされた画像ファイルに対して実行された、処理１から処理５までの全ての処理結果が履歴サムネイル画像５に表示される。  
また、それと共にドラッグ先のサムネイル画像５に対応した画像処理結果の画像が、編集画像表示エリア４に拡大表示される。そして、フォルダまたは画像ファイルをドロップすると、ドロップ先のサムネイル画像５に対応した一連の画像処理が実行され、その結果の画像が指定のフォーマットで指定の場所に保存される。  
この動作は、複数の画像ファイルをドラッグ、ドロップする場合にも同様に適用される。  
即ち、フォルダ内に複数のファイルがある場合、あるいは複数のファイルをドラッグした場合は、処理される画像ファイルが時間と共に切り替えられて、各履歴サムネイル画像５に表示される。また、編集画像表示エリア４に拡大表示される処理結果画像も時間と共に切り替えられる。そして、複数のフォルダまたは複数の画像ファイルをドロップすると、ドロップ先のサムネイル画像５に対応した一連の画像処理が実行され、その結果の複数の画像が指定のフォーマットで指定の場所に保存される。
【００４６】
図１６は、同一画像に対して複数の処理を指定する操作を示す図である。  
この操作は、同じ画像ファイルに対して複数の画像処理を行う際に、一括して処理を行うためのものである。  
ユーザが、ツリー表示エリア６内に表示されたフォルダまたは画像ファイルをマウスで指定し、履歴ツリー表示エリア３内の履歴サムネイル画像５上にドラッグすると、指定した画像に対して画像処理を行った結果が履歴サムネイル５に表示される。即ち、ドラッグされた画像ファイルに対して実行された、処理１から処理５までの全ての処理結果が履歴サムネイル画像５に表示される。  
次に、ユーザがキーボードの特定のキー、例えば「Ｃｔｒｌ」キーを押しながら新たな履歴サムネイル画像５上にドラッグすると、両方の履歴サムネイル画像５上へのドラッグが有効なものとして処理される。即ち、上述の動作に加え、新たな画像処理を行った結果も時間で切り替えられて履歴サムネイル５に表示される。
【００４７】
また、編集画像表示エリア４にも両方の画像処理結果画像が時間で切り替えられて拡大表示される。そして、フォルダまたは画像ファイルをドロップすると、ドロップ先の複数のサムネイル画像５に対応した一連の画像処理が実行され、その結果の複数の画像が指定のフォーマットで指定の場所に保存される。  
なお、この複数の処理指定操作は、何度でも繰り返して行うことができる。また、複数の画像ファイルをドラッグ、ドロップする場合にも同様に適用される。
【００４８】
図１７は、処理を指定して画像を選択する操作を示す図である。  
この操作は、図１５で示す操作と逆方向に画像処理を指定する動作である。  
ユーザが、履歴ツリー表示エリア３内の履歴サムネイル画像５をマウスで指定し、ツリー表示エリア６内に表示されたフォルダまたは画像ファイル上にドラッグすると、ドラッグ先の画像に対して指定した画像処理を行った結果が履歴サムネイル５に表示される。即ち、ドラッグ先の画像ファイルに対して実行された、処理１から処理５までの全ての処理結果が履歴サムネイル画像５に表示される。  また、それと共にドラッグ元のサムネイル画像５に対応した画像処理結果の画像が、編集画像表示エリア４に拡大表示される。そして、サムネイル画像５をドロップすると、ドロップ先のフォルダまたは画像ファイルに対して一連の画像処理が実行され、その結果の画像が指定のフォーマットで指定の場所に保存される。  
この動作は、複数の画像ファイルにドラッグ、ドロップする場合にも同様に適用される。  
即ち、フォルダ内に複数のファイルがある場合は、処理される画像ファイルが時間と共に切り替えられて、各履歴サムネイル画像５に表示される。また、編集画像表示エリア４に拡大表示される処理結果画像も時間と共に切り替えられる。そして、フォルダに履歴サムネイル画像５をドロップすると、そのフォルダに含まれる画像ファイルに対してドロップ元のサムネイル画像５に対応した一連の画像処理が実行され、その結果の複数の画像が指定のフォーマットで指定の場所に保存される。
【００４９】
図１８は、同一画像に対して複数の処理を指定する操作を示す図である。  
この操作は、同じ画像ファイルに対して複数の画像処理を行う際に、一括した動作を行うためのものである。  
ユーザが、履歴ツリー表示エリア３内の履歴サムネイル画像５をマウスで指定し、更にユーザがキーボードの特定のキー、例えば「Ｃｔｒｌ」キーを押しながら新たな履歴サムネイル画像５をマウスで指定すると、両方の履歴サムネイル画像５が選択される。  
そして、両方の履歴サムネイル画像５をツリー表示エリア６内に表示されたフォルダまたは画像ファイル上にドラッグすると、画像に対して指定した画像処理を行った結果が履歴サムネイル５に表示される。即ち、ドラッグされた画像ファイルに対して実行された、処理１から処理５までの全ての処理結果が履歴サムネイル画像５に表示される。このとき、両方の画像処理を行った結果は時間で切り替えられて履歴サムネイル５に表示される。  また、編集画像表示エリア４にも両方の画像処理結果画像が時間で切り替えられて拡大表示される。そして、履歴サムネイル５をドロップすると、ドロップ先のフォルダまたは画像ファイルに対して一連の画像処理が実行され、その結果の複数の画像が指定のフォーマットで指定の場所に保存される。  
なお、この複数処理指定操作は、何度でも繰り返して行うことができる。
【００５０】
図１９は、処理ルート登録操作を説明する図である。  
この操作は、一連の処理履歴の内、指定された処理を新たな履歴として登録する。即ち、不要な処理をスキップして画像処理を実行する際に使用するものである。  
ユーザが、ツリー表示エリア６内に表示されたフォルダまたは画像ファイルをマウスで指定し、履歴ツリー表示エリア３内の「処理１」の履歴サムネイル画像５上にドラッグすると、指定した画像に対して「処理１」の画像処理を行った結果が履歴サムネイル５に表示される。このときの、履歴サムネイル画像５の表示態様、編集画像表示エリア４内の表示態様は上述と同様である。
【００５１】
ここで、ユーザがキーボードの特定のボタン、例えば「＋」ボタンを押すと、「処理１」が登録される。次に、ユーザが「処理３−１」の履歴サムネイル画像５上にドラッグして「＋」ボタンを押すと、「処理３−１」が登録される。この結果、「処理１」と「処理３−１」が登録され、「処理２」はスキップされる。この操作を継続することで、マウスの辿った特定の画像処理のみを適用することができる。  
このとき、履歴サムネイル画像５には、スキップされた処理を除外した画像処理が施されて表示される。なお、この特定のキーを、以下履歴ルート登録キーという。
【００５２】
図２０は、他の画像処理画面の構成による画像処理操作を説明する図である。  
この画像処理画面１では、編集画像表示エリア４に代ってサムネイル一覧表示エリア７が設けられている。  
ユーザがツリー表示エリア６内に表示されたフォルダをマウスで指定すると、そのフォルダ内の画像ファイルが一覧としてサムネイル一覧表示エリア７に表示される。ユーザは、サムネイル一覧表示エリア７内の任意のサムネイル画像を複数選択することができる。図中には、選択されたサムネイル画像が枠で囲まれて示されている。
【００５３】
ユーザが履歴表示エリア３内の１つ又は複数の処理を選択して、サムネイル一覧表示エリア７内の選択中の枠内にドラッグすると、枠内のサムネイル画像は、ドラッグされた画像処理が施された結果画像を表示する。複数の処理が選択されている場合は、一定時間間隔毎にサムネイル画像の表示が切り替えられる。
【００５４】
続いて、上述の画像処理方法を実現するための情報処理装置の構成と、その主な処理手順について説明する。
【００５５】
図２１は、情報処理装置３０の構成を示す図である。情報処理装置３０は、表示部３１、操作入力部３２、通信インターフェース３３、情報管理ＤＢ３４、情報メモリ３５、プログラムメモリ３６、処理部３７、履歴ルートメモリ３８及び一時記憶メモリ３９を備えている。  
表示部３１は、画像処理画面１を表示するＣＲＴまたはＴＦＴ液晶ディスプレイである。操作入力部３２は、ユーザからの操作指示入力を受取るためのキーボード、マウス等の入力デバイスである。通信インターフェース３３は、例えばデジタルカメラ等の外部装置（不図示）との間で画像フアイル等の情報を通信により授受するためのインターフェースである。情報管理ＤＢ３４は、操作履歴を記憶する。情報メモリ３５は、操作に係る情報あるいは画像処理に必要な情報を格納するバッファメモリである。プログラムメモリ３６は、情報処理装置３０の各機能を制御するプログラムを保存する。処理部３７は、情報処理装置３０の動作を統括的に制御する。履歴ルートメモリ３８は、処理ルート登録操作で選択された処理ルートを記憶する。一時記憶メモリ３９は、画像処理結果画像を一時的に記憶するためのバッファメモリである。
【００５６】
次に、画像処理の概略の手順を図２２〜図４２を参照しつつ説明する。なお、以下に説明する処理は、画像処理機能の内主な機能に関する処理である。従って、以下の説明に記載されていない機能であっても、図１乃至図２１の説明に記載された機能は画像処理機能に含まれる。
【００５７】
ユーザが、情報処理画面１を表示部３１に表示して、図２２のステップＡ０１においてツリー表示エリア６から情報処理装置内に記憶されている任意の画像を選択すると、ステップＳ０１〜Ｓ０２において、処理部３７は、その画像を読み込むと共に、情報管理ＤＢ３４を検索してその画像が含まれる履歴ツリーを抽出して、履歴ツリー表示エリア３に履歴ツリーと履歴サムネイル画像５を表示する。
【００５８】
次にユーザが、画像処理を施したい画像を履歴ツリー表示エリア３の履歴サムネイル画像５の中から選択すると、図２２のステップＳ０３において、処理部３７は、その画像を編集画像表示エリア４に表示する。
【００５９】
ステップＳ０４〜Ｓ０５において、ユーザが、画像編集ボタン１１を操作して表示される画像編集リストから所望の処理を選択すると、処理部３７は、選択された画像編集処理を実行する。そして、ステップＳ０６に示す履歴生成処理（図２４）を実行する。
【００６０】
図２４のステップＴ０１〜Ｔ０２において、現在選択されている履歴サムネイル画像５が履歴ツリーの末端にある場合（Ｔ０１  Ｙｅｓ）は、現在の状態（カレント）に続けて履歴ツリーを追加する。ステップＴ０１において、現在選択されている履歴サムネイル画像５が履歴ツリーの末端にない場合（Ｔ０１  Ｎｏ）は、ステップＴ０３〜Ｔ０４において、現在の状態（カレント）を分岐点として、その分岐点からの新たな履歴ツリーを追加する。
【００６１】
そして、ステップＴ０５において、追加した履歴ツリーに画像処理が施された画像のサムネイル画像を追加表示してリターンする。
【００６２】
図２２に戻り、ユーザが、削除したい履歴サムネイル画像５を１つ又は複数選択して、「選択履歴のみ」か「選択履歴以降全て」かのモードと共に履歴削除ボタン１４を押すと、そのモードに対応したステップＳ１０に示す履歴削除処理が実行される。
【００６３】
図２５は、「選択履歴のみ」モードの履歴削除処理の概略の手順を示す図である。
【００６４】
図２５のステップＴ１０において、削除の対象とする履歴プロセスが分岐点にある場合（Ｔ１０  Ｙｅｓ）は、削除不可として処理は実行せずにリターンする。削除の対象とする履歴プロセスが分岐点にない場合（Ｔ１０  Ｎｏ）は、ステップＴ１１において、現在選択されている履歴サムネイル画像５が履歴ツリーの末端にあるかどうかを調べる。
【００６５】
そして、現在選択されている履歴サムネイル画像５が履歴ツリーの末端にある場合（Ｔ１１  Ｙｅｓ）であって、ステップＴ１２において、削除対象の履歴サムネイル画像５がカレントの状態である場合（Ｔ１２  Ｙｅｓ）は、ステップＴ１３〜Ｔ１４において、削除対象の１つ前の履歴プロセスにカレントを移動し、その移動後のカレントの履歴サムネイル画像に対応した画像を編集画像表示エリア４に更新表示する。
【００６６】
次に、ステップＴ１５〜Ｔ１６において、削除対象のサムネイル画像５を削除し、併せて削除対象の履歴プロセスと処理結果画像を削除してリターンする。なお、削除された後の新たな履歴ツリーは情報管理ＤＢ３４に記録される。
【００６７】
一方、ステップＴ１１において、現在選択されている履歴サムネイル画像５が履歴ツリーの末端にない場合（Ｔ１１  Ｎｏ）は、ステップＴ１８において、削除対象となっている履歴の前後の履歴をツリーで結合する。
【００６８】
ステップＴ１９において、削除対象の履歴サムネイル画像５がカレントの状態である場合（Ｔ１９  Ｙｅｓ）は、ステップＴ２０〜Ｔ２１において、削除対象の１つ前の履歴プロセスにカレントを移動し、その移動後のカレントの履歴サムネイル画像５に対応した画像を編集画像表示エリア４に更新表示する。そして、ステップＴ２２において、削除対象のサムネイル画像５を削除してリターンする。
【００６９】
図２６は、「選択履歴以降全て」モードの履歴削除処理の概略の手順を示す図である。
【００７０】
図２６のステップＴ２５において、削除の対象とする履歴プロセスが分岐点にある場合（Ｔ２５  Ｙｅｓ）は、削除不可として処理は実行せずにリターンする。削除の対象とする履歴プロセスが分岐点にない場合（Ｔ２５  Ｎｏ）は、ステップＴ２６において、削除対象の履歴サムネイル画像５がカレントの状態であるかどうかを調べる。
【００７１】
ステップＴ２６において、削除対象の履歴サムネイル画像５がカレントの状態である場合（Ｔ２６  Ｙｅｓ）は、ステップＴ２７〜Ｔ２８において、削除対象の１つ前の履歴にカレントを移動し、その移動後のカレントの履歴サムネイル画像５に対応した画像を編集画像表示エリア４に更新表示する。
【００７２】
そして、ステップＴ２９〜Ｔ３０において、削除対象の履歴サムネイル画像５以降の履歴サムネイル画像５を全て削除し、併せて削除対象の履歴プロセス以降の履歴プロセスと処理結果画像とを全て削除してリターンする。
【００７３】
図２２に戻り、ユーザが、履歴ツリーに表示された履歴サムネイル画像５の内から比較表示したい履歴サムネイル画像５を複数選択して履歴画像比較ボタン１３を押すと、ステップＳ１１に示す履歴画像比較処理（図２７）が実行される。
【００７４】
図２７のステップＴ３５〜Ｔ３８において、処理部３７は、選択された履歴サムネイル画像５の個数に編集画像表示エリア４を分割し、選択されたそれぞれの履歴サムネイル画像５を分割されたエリアに表示してリターンする。
【００７５】
図２２に戻り、ユーザが保存したい履歴サムネイル画像５を複数選択して履歴画像保存ボタン１５を押すと、ステップＳ１２の履歴画像保存処理（図２８）が実行される。
【００７６】
図２８のステップＴ４１からＴ４５において、処理部３７は、保存先のフォルダ、保存ファイル名、保存する画像フォーマットなどを設定するボックス（不図示）を表示する。そして、これらのデータが設定されて保存動作がユーザから指示されると、選択された履歴サムネイル画像５に対応した画像が実画像サイズで保存される。この処理は、選択された全ての履歴サムネイル画像５について実行され、その後、リターンする。
【００７７】
図２２に戻り、ユーザがプロセスを保存したい履歴サムネイル画像５を１つ又は複数選択して、履歴プロセス保存ボタン１６を押すと、ステップＳ１３の履歴プロセス保存処理（図２９）が実行される。
【００７８】
図２９のステップＴ４８〜Ｔ５０において、処理部３７は、原画像を起点として選択された履歴サムネイル画像５までのルートを探索して、そのルートを保存形式のデータに変換する。そして、保存ファイル名などを設定するプロセス保存設定画面を表示する。ステップＴ５１〜Ｔ５２において、ユーザがこれらのデータを設定して保存を指示すると、このルートで実施されたそれぞれの履歴プロセスを保存してリターンする。
【００７９】
図２２に戻り、ユーザが、履歴プロセスを読み込む始点となる履歴サムネイル画像５を１つ選択して、「追加モード」か「挿入モード」のいずれかを指定して履歴プロセス読込ボタン１７を押すと、ステップＳ１４の履歴プロセス読込処理がモードに対応して実行される。
【００８０】
図３０は、追加モードでの履歴プロセス読込処理の概略の手順を示す図である。
【００８１】
ステップＴ５５〜Ｔ５８において、処理部３７は、履歴プロセスファイルを読み込み、処理しようとする履歴プロセスデータを画像処理単位に分割する。そして、選択された履歴サムネイル画像５の履歴ツリーの位置を新たな分岐位置に設定する。
【００８２】
次に、画像処理単位毎に以下の処理を繰り返して実行する。ステップＴ６０〜Ｔ６１において、追加しようとする画像に対して該当する画像処理を実行し、画像処理した結果の履歴サムネイル画像５を作成する。そして、ステップＴ６２〜Ｔ６３において、画像処理内容をその位置の履歴プロセスとして設定し、履歴ツリー表示エリア３内の追加された履歴ツリーの位置に履歴サムネイル画像５を追加表示する。このステップＴ６０〜Ｔ６３の処理を全ての画像処理単位について実行し、追加処理によって作成された新たな履歴ツリーを情報管理ＤＢ３４に記憶してリターンする。
【００８３】
図３１は、挿入モードでの履歴プロセス読込処理の概略の手順を示す図である。
【００８４】
ステップＴ７０〜Ｔ７３において、処理部３７は、履歴プロセスファイルを読み込み、処理しようとする履歴プロセスデータを画像処理単位に分割する。そして、選択された履歴サムネイル画像５の履歴ツリーの次の位置に読み込んだ履歴プロセスに関する新たな履歴ツリーを挿入する。
【００８５】
次に、画像処理単位毎に以下の処理を繰り返して実行する。ステップＴ７５〜Ｔ７６において、追加しようとする画像に対して該当する画像処理を実行し、画像処理した結果の履歴サムネイル画像５を作成する。そして、ステップＴ７７〜Ｔ７８において、画像処理内容をその位置の履歴プロセスとして設定し、履歴ツリー表示エリア３内の追加された履歴ツリーの位置に履歴サムネイル画像５を追加表示する。このステップＴ７５〜Ｔ７８の処理を全ての画像処理単位について実行した後、ステップＴ８０において、挿入した最後の履歴と分岐位置の後の履歴を結合し、結合処理によって作成された新たな履歴ツリーを情報管理ＤＢ３４に記憶してリターンする。
【００８６】
図２２に戻り、ユーザが連続した履歴サムネイル画像５の範囲を指定して、履歴プロセス結合１８ボタンを操作すると、ステップＳ１５の履歴プロセス結合処理（図３２）を実行する。
【００８７】
図３２のステップＴ８５〜Ｔ８６において、処理部３７は、選択した履歴サムネイル画像５の位置を取得して、その範囲内にある履歴プロセスが連続した処理かどうかを調べる。連続した処理でない場合（Ｔ８６  Ｎｏ）は、履歴プロセス結合処理を終了してリターンする。
【００８８】
範囲内にある履歴プロセスが連続した処理の場合（Ｔ８６  Ｙｅｓ）は、選択した範囲内に分岐があるかどうかを調べ、分岐がある場合（Ｔ８７  Ｎｏ）は、履歴プロセス結合処理を終了してリターンする。
【００８９】
選択した範囲内に分岐がない場合（Ｔ８７  Ｙｅｓ）は、ステップＴ８９において、連続した履歴プロセスは同一の処理内容かどうかを調べる。連続した履歴プロセスが同一の処理内容でない場合（Ｔ８９  Ｎｏ）は、履歴プロセス結合処理を終了してリターンする。
【００９０】
連続した履歴プロセスが同一の処理内容である場合（Ｔ８９  Ｙｅｓ）は、ステップＴ９０〜Ｔ９２において、処理内容のパラメータを取り出して結合し、選択した範囲の直前の画像に結合した処理パラメータによる画像処理を施す。そして、ステップＴ９３〜Ｔ９５において、画像処理結果の新たな履歴サムネイル画像５を作成して、その範囲の履歴サムネイル画像５を新たな履歴サムネイル画像５で置き換える。更に、その結合した履歴プロセスを結合した処理パラメータの処理内容に変更してリターンする。
【００９１】
なお、上述の各処理において特に説明がない場合であっても、履歴ツリーが修正された場合は、新たな履歴ツリーの情報は、情報管理ＤＢ３４に記憶されるものとする。
【００９２】
続いて、図１５乃至図１９に示す画像処理の手順について図３３乃至図４２を参照しつつ説明する。
【００９３】
図２３において、ユーザがツリー表示エリア６から画像ファイルを選択して、履歴表示エリア３の履歴サムネイル画像上にドラッグすると、ステップＳ２１のファイルドラッグ処理（図３３）を実行する。  
図３３のステップＴ１０１において、処理部３７は、選択されている複数の画像ファイルから、最初に処理する画像ファイルを取り出す。そして処理対象とするファイルを注目ファイルとして設定して、ステップＴ１０２からステップＴ１０６までの処理を実行する。  
ステップＴ１０３において、履歴サムネイル画像更新処理を実行する。この処理は、注目ファイルに対して、履歴表示エリア３に示された処理ルートに従って画像処理を行い、その結果を履歴サムネイル画像５として表示する処理である。
【００９４】
ステップＴ１０４において、編集画像表示更新処理（図３４）を実行する。  
図３４のステップＰ１０１において、マウスが置かれている位置の履歴サムネイル画像５を特定する。そして、ステップＰ１０２において、その履歴サムネイル画像５の表す処理結果画像を編集画像表示エリア４に表示する。  
図３３に戻り、ステップＴ１０５において、次に処理する画像ファイルを注目ファイルとして設定する。そして、選択されている全ての画像ファイルについてステップＴ１０２からステップＴ１０６までの処理を実行してリターンする。
【００９５】
図２３に戻り、ユーザが履歴サムネイル画像上にドラッグした画像ファイルをドロップすると、ステップＳ２２のファイルドロップ処理（図３５）を実行する。  
図３５のステップＴ１１１において、画像ファイルがドロップされた履歴サムネイル画像５を特定する。複数の履歴サムネイル画像５が選択されていたときは、それぞれの履歴サムネイル画像５について、ステップＴ１１２からステップＴ１１７の処理を実行する。
【００９６】
次に、選択されている画像ファイルを特定し、複数の画像ファイルが選択されていたときは、それぞれの画像ファイルについて、ステップＴ１１３からステップＴ１１６の処理を実行する。  
ステップＴ１１４において、選択されている履歴サムネイル画像５に対応する画像処理を、選択されている画像ファイルに施す。そしてステップＴ１１５において、画像処理結果画像を一時記憶メモリ３９に保存する。
【００９７】
全ての画像処理結果画像が一時記憶メモリ３９に保存されたときは、ステップＴ１１８において、画像保存処理（図３６）を実行する。  
図３６のステップＴ１２において、画像保存設定画面（不図示）を表示して、ユーザに保存の要否を問いかける。  
ユーザが保存不要と入力したときは、保存を行わずに処理を終了する。  
ユーザが保存要と入力したときは、ステップＴ１２３〜Ｔ１２６において、一時記憶メモリ３９から画像処理結果画像を読み出して、所定の場所に保存する。この処理を繰り返して、全ての画像処理結果画像を保存してリターンする。
【００９８】
図２３に戻り、ユーザがツリー表示エリア６からフォルダを選択して、履歴表示エリア３の履歴サムネイル画像上にドラッグすると、ステップＳ２３のフォルダドラッグ処理（図３７）を実行する。  
図３７のステップＴ１３１において、選択されたフォルダに含まれている画像ファイルを特定する。そして、ステップＴ１３２からステップＴ１３４において、フォルダに複数の画像ファイルが含まれている場合は、それぞれの画像ファイルについてファイルドラッグ処理（図３３）を実行する。  
なお、ファイルドラッグ処理は既に説明しているため、再度の説明は省略する。
【００９９】
図２３に戻り、ユーザが履歴サムネイル画像上にドラッグしたフォルダをドロップすると、ステップＳ２４のフォルダドロップ処理（図３８）を実行する。  
図３８のステップＴ１４１において、選択されたフォルダに含まれている画像ファイルを特定する。そして、ステップＴ１４２からステップＴ１４４において、フォルダに複数の画像ファイルが含まれている場合は、それぞれの画像ファイルについてファイルドロップ処理（図３５）を実行する。  
なお、ファイルドロップ処理は既に説明しているため、再度の説明は省略する。
【０１００】
図２３に戻り、ユーザが履歴表示エリア３から履歴サムネイル画像５を選択して、ツリー表示エリア６のツリー上にドラッグすると、ステップＳ２５の履歴ドラッグ処理（図３９）を実行する。  
図３９のステップＴ１５１において、ドラッグ先がフォルダかどうかを調べる。  
ステップＴ１５１でＮｏの場合、即ち、ドラッグ先が画像ファイルの場合は、ステップＴ１５２において、ドラッグ先の画像ファイルに関するファイル情報、例えば、保存アドレス、ファイル容量などを取得する。  
ステップＴ１５１でＹｅｓの場合、即ち、ドラッグ先がフォルダの場合は、ステップＴ１５２からＴ１５５において、フォルダに含まれる全ての画像ファイルに関するファイル情報を取得する。ファイル情報数だけ、ステップＴ１５６からＴ１５９の処理を繰り返す。
【０１０１】
ステップＴ１５７において、履歴サムネイル画像更新処理を実行する。この処理は、画像ファイルに対して、履歴表示エリア３に示された処理ルートに従って画像処理を行い、その結果を履歴サムネイル画像５として表示する処理である。  
ステップＴ１５８において、編集画像表示更新処理（図３４）を実行し、編集画像表示エリア４に履歴サムネイル画像５の拡大画像を表示する。なお、編集画像表示更新処理は既に説明しているため詳細の説明は省略する。
【０１０２】
図２３に戻り、ユーザがツリー表示エリア６内のツリー上に履歴サムネイル画像５をドロップすると、ステップＳ２６の履歴ドロップ処理（図４０）を実行する。  
図４０のステップＴ１６１において、選択されている履歴サムネイル画像５の数を取得し、選択されている履歴サムネイル画像５ごとにステップＴ１６２からＴ１７０の処理を実行する。  
ステップＴ１６３からＴ１６４において、履歴サムネイル画像５がドロップされたときのツリー表示エリア６の位置を取得して、ドロップ先の画像ファイルを特定する。複数の画像ファイルが特定されたときは、それぞれの画像ファイルについて、ステップＴ１６５からステップＴ１６８の処理を実行する。
【０１０３】
ステップＴ１６６において、選択されている履歴サムネイル画像５に対応する画像処理を、特定された画像ファイルに施す。そしてステップＴ１６７において、画像処理結果画像を一時記憶メモリ３９に保存する。  
全ての画像処理結果画像が一時記憶メモリ３９に保存されたときは、ステップＴ１６９において、画像保存処理（図３６）を実行する。この画像保存処理は、既に説明しているため、再度の詳細の説明は省略する。
【０１０４】
図２３に戻り、ユーザがツリー表示エリア６内の画像ファイル又はフォルダを履歴サムネイル画像上にドラッグし、特定のキーを押して履歴ルート登録操作を行うと、ステップＳ２７の履歴ルート処理（図４１）を実行する。  
ステップＴ１７１において、キー操作を検出したときは、ステップＴ１７２において、操作されたキーが履歴ルート登録キーかどうかを調べる。また、ステップＴ１７４において、初回の履歴ルート登録キーの入力かどうかを調べる。  
ステップＴ１７２でＮｏの場合、即ち、操作されたキーが履歴ルート登録キーで無い場合は、ステップＴ１７３において履歴ルートメモリ３８を初期化して、この処理を終了する。  
ステップＴ１７４でＮｏの場合、即ち、操作されたキーが履歴ルート登録キーであって、最初に操作された場合は、ステップＴ１７５において履歴ルートメモリ３８を初期化する。
【０１０５】
ステップＴ１７６において、履歴ルート登録キーが操作された位置の履歴サムネイル画像５を特定して、ステップＴ１７７において、履歴ルート登録処理（図４２）を実行する。  
図４２のステップＰ１１１において、特定された履歴サムネイル画像５に対応する画像処理を読み出し、ステップＰ１１２において、履歴ルートメモリ３８にその画像処理を履歴として追加して登録する。  
履歴ルートメモリ３８に登録されている履歴の画像処理を読み出し、その履歴の数だけステップＴ１７８からＴ１８０の処理を繰り返して、画像ファイルに登録された画像処理を施す。  
そして、ステップＴ１８１において、ファイルドラッグ処理（図３３）を実行して、登録された画像処理についての履歴サムネイル画像５に処理結果画像を表示し、編集画像表示エリア４に拡大画像を表示する。なお、ファイルドラッグ処理は、既に説明しているため、その詳細の説明は省略する。
【０１０６】
図２２に戻り、ユーザが編集終了ボタン１９を操作すると、ステップＳ１６において、処理部３７が編集終了ボタンが押されたことを検出して画像処理を終了する。
【０１０７】
［実施の形態の効果］
本実施の形態によれば、新たな画像ファイルを、ツリー形式で表示された画像処理履歴の任意の位置にドラッグすることで、その画像処理の適用結果を直ちに確認することができる。また、ドロップすることで、その画像処理を適用することができ、複数の画像ファイルに対しても適用することができる。  
画像処理の履歴を任意に選択することができ、その画像処理を適用した結果を直ちに確認することができる。さらに、画像処理の履歴の選択は、履歴をトレースすることで実行されるため、柔軟に履歴の選択と変更を実施することができる。
【０１０８】
更に、複数の履歴処理を選択することで、同時に複数の処理結果を出力することができる。
【０１０９】
このように、本実施の形態では、ツリー状で表現された編集履歴に対して、新たなファイルをドラッグすることで、画像処理の適用効果がプレビュー表示されるため簡単に確認することができる。またドロップ操作により簡単に保存することも、画像処理結果を出力することもできる。
【０１１０】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【０１１１】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【０１１２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１１３】
【図１】本発明の第１の実施の形態の画像処理方法による画像処理画面の構成を示す図。
【図２】画像編集リストを示す図。
【図３】履歴ツリーの追加表示方法を説明する図。
【図４】履歴ツリーの別の追加表示方法を説明する図。
【図５】履歴の選択処理方法を説明する図。
【図６】履歴の削除処理を示す図。
【図７】削除処理を説明する図。
【図８】削除処理を説明する図。
【図９】履歴画像の比較処理を説明する図。
【図１０】履歴画像の保存処理を説明する図。
【図１１】履歴画像の履歴プロセス保存処理を説明する図。
【図１２】履歴プロセス読込処理を説明する図。
【図１３】履歴プロセス読込処理を説明する図。
【図１４】履歴プロセス結合処理を説明する図。
【図１５】画像処理方法の基本動作を示す図。
【図１６】同一画像に対して複数の処理を指定する操作を示す図。
【図１７】処理を指定して画像を選択する操作を示す図。
【図１８】同一画像に対して複数の処理を指定する操作を示す図。
【図１９】処理ルート登録操作を説明する図。
【図２０】他の画像処理画面の構成による画像処理操作を説明する図図。
【図２１】情報処理装置の構成を示す図。
【図２２】画像履歴処理の概略の手順を示すフロー図。
【図２３】画像履歴処理の概略の手順を示すフロー図。
【図２４】履歴生成処理手順を示すフロー図。
【図２５】履歴削除処理の手順を示すフロー図。
【図２６】履歴削除処理の手順を示すフロー図。
【図２７】履歴画像比較処理手順を示すフロー図。
【図２８】履歴画像保存処理手順を示すフロー図。
【図２９】履歴プロセス保存処理手順示すフロー図。
【図３０】履歴プロセス読込処理手順を示すフロー図。
【図３１】履歴プロセス読込処理手順を示すフロー図。
【図３２】履歴プロセス結合処理を示すフロー図。
【図３３】ファイルドラッグ処理の手順を示すフロー図。
【図３４】編集画像表示更新処理手順を示すフロー図。
【図３５】ファイルドロップ処理の手順を示すフロー図。
【図３６】画像保存処理の手順を示すフロー図。
【図３７】フォルダドラッグ処理手順を示すフロー図。
【図３８】フォルダドロップ処理手順を示すフロー図。
【図３９】履歴ドラッグ処理手順示すフロー図。
【図４０】履歴ドロップ処理手順を示すフロー図。
【図４１】履歴ルート処理手順を示すフロー図。
【図４２】履歴ルート登録処理手順を示すフロー図。
【符号の説明】
【０１１４】
１…画像処理画面、２…ツールバーエリア、３…履歴ツリー表示エリア、４…編集画像表示エリア、５…履歴サムネイル画像、６…ツリー表示エリア、７…サムネイル一覧表示エリア、１１…画像編集リストボタン、１２…編集画像に適用ボタン、１３…履歴画像比較ボタン、１４…履歴削除ボタン、１５…履歴画像保存ボタン、１６…履歴プロセス保存ボタン、１７…履歴プロセス読込ボタン、１８…履歴プロセス結合ボタン、１９…編集終了ボタン、３０…情報処理装置、３１…表示部、３２…操作入力部、３３…通信インターフェース、３４…情報管理ＤＢ、３５…情報メモリ、３６…プログラムメモリ、３７…処理部、３８…履歴ルートメモリ、３９…一時記憶メモリ。
【図１】
2006350634.tif 000003
【図２】
2006350634.tif 000004
【図３】
2006350634.tif 000005
【図４】
2006350634.tif 000006
【図５】
2006350634.tif 000007
【図６】
2006350634.tif 000008
【図７】
2006350634.tif 000009
【図８】
2006350634.tif 000010
【図９】
2006350634.tif 000011
【図１０】
2006350634.tif 000012
【図１１】
2006350634.tif 000013
【図１２】
2006350634.tif 000014
【図１３】
2006350634.tif 000015
【図１４】
2006350634.tif 000016
【図１５】
2006350634.tif 000017
【図１６】
2006350634.tif 000018
【図１７】
2006350634.tif 000019
【図１８】
2006350634.tif 000020
【図１９】
2006350634.tif 000021
【図２０】
2006350634.tif 000022
【図２１】
2006350634.tif 000023
【図２２】
2006350634.tif 000024
【図２３】
2006350634.tif 000025
【図２４】
2006350634.tif 000026
【図２５】
2006350634.tif 000027
【図２６】
2006350634.tif 000028
【図２７】
2006350634.tif 000029
【図２８】
2006350634.tif 000030
【図２９】
2006350634.tif 000031
【図３０】
2006350634.tif 000032
【図３１】
2006350634.tif 000033
【図３２】
2006350634.tif 000034
【図３３】
2006350634.tif 000035
【図３４】
2006350634.tif 000036
【図３５】
2006350634.tif 000037
【図３６】
2006350634.tif 000038
【図３７】
2006350634.tif 000039
【図３８】
2006350634.tif 000040
【図３９】
2006350634.tif 000041
【図４０】
2006350634.tif 000042
【図４１】
2006350634.tif 000043
【図４２】
2006350634.tif 000044